(57)【要約】  本発明は、泥土ハウスに関し、より詳細には、ハウスの骨格をなす柱を連結する連結材を前記柱の内外の二重に配置して壁体を形成し、前記連結材の間の空間に粘土充填材を充填して堅固に構成した泥土ハウスに関するものである。このような本発明は、ハウスの基本骨格をなす柱を中心に置いて内外の二重に連結材を配置し、前記連結材の間に形成された空間に、粘土、鋸くずからなる粘土充填材を充填し、前記連結材の表面に粘土組成物を塗布し、網のメッシュを結合させた後、粘土塗料を塗布して壁体を構成することを特徴とする。【選択図】図５
2008544125.tif 000002
【特許請求の範囲】
【請求項１】
ハウスの基本骨格をなす柱を設置し、前記柱を中心に置いて内外の二重に連結材が配置され、前記連結材の間に形成された空間に、粘土、鋸くずからなる粘土充填材を充填して壁体を構成することを特徴とする泥土ハウス。
【請求項２】
前記粘土充填材は、粘土４〜６重量部、鋸くず３〜５重量部からなることを特徴とする請求項１に記載の泥土ハウス。
【請求項３】
前記柱及び連結材は、木材で構成されることを特徴とする請求項１に記載の泥土ハウス。
【請求項４】
前記柱は鉄材で構成され、前記連結材は鉄網で構成されることを特徴とする請求項１に記載の泥土ハウス。
【請求項５】
前記鉄網の代わりに複数の通孔が形成された鉄板で構成されることを特徴とする請求項４に記載の泥土ハウス。
【請求項６】
前記壁体の内部及び外部壁面と室内床面に粘土、鋸くず、水、水容性接着剤で構成された粘土組成物を塗布し、前記粘土組成物の上に網のメッシュを覆った後、粘土塗料を塗布することを特徴とする請求項１に記載の泥土ハウス。
【請求項７】
室内の壁面または床には、粘土塗料が完全に乾燥した後、コーティング剤でコーティング処理することを特徴とする請求項６に記載の泥土ハウス。
【発明の詳細な説明】
【技術分野】
【０００１】
本発明は、泥土ハウス（mud-plastered house；泥プラスターハウス）に関し、より詳細には、柱及び連結材で形成された壁体に粘土充填材を充填して作る泥土ハウスに関する。
【背景技術】
【０００２】
韓国の泥土ハウスは、黄土が手に入りやすい素材であるので、黄土を主材料としてハウスを施工するようになり、自然状態の住居環境を形成し、人体に有益な効果をもたらすとともに、黄土の土が持つ自体の性質により温度調節能力に優れて断熱効果があり、空気を吸収し放出する機能を持っていて室内湿度を自然に調節し、暑かったり冷たい外部空気を効果的に遮断し、自然な冷暖房効果が大きい。
【０００３】
また、音が響かないので防音効果が高く、昆虫などが生息しないようにする防虫効果も高いという利点がある。
【０００４】
しかし、上記のような様々な利点を有しているが、黄土で作った泥土ハウスは、全世界的に黄土のない地域が多く存在するので黄土で作る泥土ハウスを普及することが難しく、また、黄土で作った泥土ハウスは、水に弱いだけでなく、構造上、高層建築物の建築がほとんど不可能で、土壁の亀裂現象が発生しやすいという問題点があって、広く施工されていないのが現状である。
【０００５】
図１は、従来の泥土ハウスの要部を示した斜視図であり、図２は、従来の泥土ハウスの壁体の断面図である。現在施工されている泥土ハウスの構造は、図１に示すように、ハウスの基本骨格を構成する柱１０の中央に孔を開けて柱１０と柱１０を横に連結する連結材１２を設置して壁体のフレームを形成した後、前記連結材の内外に黄土を所定の厚さで塗って壁体を形成する。しかし、このように壁体を形成する場合、ハウスの骨組が堅固ではないため、台風や地震で破壊されることがしばしば発生する。
【０００６】
また、図２に示す建物の壁体の断面図のように、断熱材１３、除湿布フィルム１４、木材１５、石膏ボード１６、壁紙１７を順次に施工することにより、保温、防音、防湿、防虫の機能が低下し、また、上記のような材料で施工するため、施工時間が長くかかり、材料の購入も容易ではないという問題点があった。
【発明の開示】
【発明が解決しようとする課題】
【０００７】
そこで、本発明は上記従来の問題点に鑑みてなされたものであって、本発明の目的は、ハウスを建てる際に世界のどこでも簡単に手にいれることができ、人体に有益な粘土や黄土を主材料としながらも堅固な壁体を有する泥土ハウスを提供することである。
【０００８】
本発明のさらなる目的は、粘土または黄土塗料を仕上材として用いることにより、別途の内部処理をしなくても自然な色が出るようにした泥土ハウスを提供することである。
【課題を解決するための手段】
【０００９】
上記目的を達成するためになされた本発明による泥土ハウス（mud-plastered house；泥プラスターハウス）は、ハウスの基本骨格をなす柱を設置し、前記柱を中心に置いて内外の二重に連結材が配置され、前記連結材の間に形成された空間に粘土、鋸くずからなる粘土充填材を充填して壁体を構成することを特徴とする。
【００１０】
また、前記柱と連結材は木材で構成されたり、前記柱は鉄材フレームで構成され、前記連結材は鉄網で構成される。また、前記鉄網の代わりに複数の通孔が形成された鉄板で構成されることが好ましい。
【００１１】
また、前記粘土充填材は、粘土４〜６重量部、鋸くず３〜５重量部からなり、室内の壁面または床は、粘土塗料が完全に乾燥した後、コーティング剤でコーティング処理を行うことが好ましい。
【００１２】
また、前記壁体の内部及び外部壁面と室内床面に粘土、鋸くず、水、水溶性接着剤で構成された粘土組成物を塗布し、前記粘土組成物の上に網のメッシュを覆った後、粘土塗料を塗布することが好ましい。
【発明の効果】
【００１３】
本発明による泥土ハウスは、柱を横に連結する連結材が柱を中心に二重に配置されているので、壁体を堅固に構成することができ、台風や地震で破壊されるおそれがなく、泥土ハウスの寿命も長くなるという効果がある。
【００１４】
また、本発明による泥土ハウスは、連結材の間に粘土充填材を充填して断熱性と吸音性を向上させることができる。
【発明を実施するための最良の形態】
【００１５】
以下、本発明の好適な実施例を添付した図を参照して説明する。
【００１６】
図３は、本発明の一実施例による壁の一部分の柱と連結材を示す斜視図であり、図４は、本発明の一実施例による壁の一部分の断面図であり、図５は、本発明の一実施例による泥土ハウス壁体の断面図であり、図６は、本発明の一実施例による泥土ハウス側面の一部を示す断面図である。
【００１７】
土は大きさや種類によって砂利、砂、粘土などに分けられ、本発明に使用される土は粘土を使用し、粘土は岩石が風化して直径が０．０１ｍｍ以下に分解された土を称し、全世界に分布している土である。
【００１８】
図３に示すように、本発明による泥土ハウスの基本骨格を構成する柱２０を設計図に基づいて一定の間隔で設置した後、前記柱２０を横に互いに連結する連結材２２を配置する。ここで、前記柱２０に連結材２２を配置する場合、従来と異なり、柱２０を間に置いて内外の二重に設置して内部に空間を形成する。
【００１９】
上記のように、連結材２２を柱２０を中心に二重に配置することにより、泥土ハウスの壁体を極めて堅固に構成することができる。そして、前記柱２０と連結材２２は、天然素材である木材で構成されることが好ましい。
【００２０】
図４に示すように、前記柱２０と連結材２２は、縦横の格子状に形成され、力を各点ａ〜ｈに分散して受けるようになり、外部から力を受けると、各点に力が分散される。
【００２１】
これにより、地震、台風、津波などで外部から大きな衝撃を受けた場合にも、各地点に力が分散されるようになり、本発明による泥土ハウスは破壊されることなく堅固な構造を持つことができる。
【００２２】
以下に説明される粘土組成物２５の上に設けられるメッシュ２６も、力を泥土ハウス全体に分散し、堅固な泥土ハウスを提供することができる。
【００２３】
前記連結材２２の間の空間は粘土充填材２４で充填される。前記粘土充填材２４は、粘土、鋸くずを主材料とし、これにアルコールを追加して製造されたものであり、粘土４〜６重量部、鋸くず３〜５重量部、及びアルコール０．８〜１．２重量部からなり、粘土の代わりに黄土を用いて充填材を製造することもできる。
【００２４】
前記粘土が４重量部未満であれば粘性が低下し、６重量部を超過すれば乾燥時に亀裂が生じる。前記鋸くずの量は、粘土と逆の結果をもたらす。
【００２５】
ここで、粘土と鋸くずは、湿式粘土と湿式鋸くずを使用することが好ましく、湿式粘土と湿式鋸くずは水分含有量が２０〜６０％の自然状態の粘土と鋸くずを意味する。また、本発明に使用される鋸くずとしては、木材を鋸やかんなで切ったり削ったりするときに出るくずである一般的な鋸くずだけでなく、通常の木材を細かく粉砕して作った木材粉も含まれる。
【００２６】
前記粘土充填材２４は、粘土と鋸くずを混合して製造されるので、粘土粒子と鋸くず粒子の間隔が狭くて空隙率が低くなり、粘土の乾燥時に亀裂が生じることを防止する。この場合、鋸くずは、水分含有の保有率と蓄熱性に優れて、建築物の仕上施工時に建物内部の湿度を一定に維持し、保温力を上昇させる気泡層の役割をするようになり、粘土のみで施工するよりも断熱効果が高い。
【００２７】
前記粘土充填材２４を連結材２２の間の空間に充填することにより、前記アルコールを素早く蒸発させて建築施工期間を画期的に短縮する役割をし、粘土と鋸くずに含有された水分子の結合力を低下させ、粘土充填材が素早く強く固まるようにする。すなわち、前記アルコールは、硬化促進剤の一つに過ぎず、アルコールの代わりに他の種類の硬化促進剤を使用することも可能である。
【００２８】
前記連結材２２の間の空間には、粘土充填材２４で充填した後、粘土７．８〜８．２重量部、鋸くず１．９〜２．１重量部、水５．８〜６．２重量部、水溶性接着剤１重量部を混合して製造した粘土組成物２５をハウスの外壁と内壁に２〜５ｃｍの厚さで塗布する。
【００２９】
ハウスの床面は、粘土６．８〜７．２重量部、鋸くず１．４〜１．６重量部、水５．８〜６．２重量部、水５．８〜６．２重量部、水溶性接着剤１重量部を混合して製造した粘土組成物をハウスの床に塗布する。
【００３０】
前記粘土充填材と同様に、前記粘土組成物においても粘土の代わりに黄土を使用することができる。
【００３１】
次に、前記メッシュ２６は、網状の合成樹脂材からなるもので、これをハウスの外壁、内壁、床に塗布した粘土組成物２５の表面に覆った後、建築に利用されるこてで塗りつぶして滑らかにすると、前記メッシュ２６の孔の間から突き出た粘土組成物２５の粒子がメッシュ２６表面を覆って前記粘土組成物２５と密着結合される。泥土ハウスの床は図示されていないが、粘土組成物とメッシュが密着結合されることは当然である。
【００３２】
最後に、前記メッシュ２６の上に粘土塗料２８を塗布すると、泥土ハウスの壁体と床が完成される。前記粘土塗料２８は、粘土を数回精製したものに水溶性接着剤を混合して製造したもので、その割合は、所望の色によって変わる。前記粘土塗料２８において、粘土の代わりに黄土を用いて塗料を製造することも可能である。
【００３３】
上記のように、粘土組成物２５の上にメッシュ２６を設けた後、粘土塗料２８を塗布すると、粘土塗料２８の乾燥時に発生する亀裂（crack）を防止することができる。
【００３４】
粘土塗料２８が完全に乾燥した後、泥土ハウスの内壁及び底表面を滑らかにしてコーティング剤３０を塗布する場合、粘土及び黄土の固有の色により、壁紙などの他の内装材を使用しなくて済む。
【００３５】
そして、泥土ハウスの屋根は、図６に示すように、柱２０と連結材２２を設置し、前記連結材２２の間にハウスの壁体をなす粘土充填材２４を充填した後、壁面のように粘土組成物を塗布し、粘土組成物の塗布後、網のメッシュを覆いその上部に粘土塗料を塗布して施工する。このような過程は壁体の施工と同様である。
【００３６】
このような構造を有する泥土ハウスは、柱を連結する連結材が柱を間に置いて内外の二重に配置されているので、従来の泥土ハウスに比べて壁体が堅固であるとともに、連結材の間に湿式粘土充填材を充填したので、断熱性と吸音性に優れている。また、泥土ハウスは、他の人工的な仕上材を使用せず、天然材料のみで施工できるので人体に有益である。
【００３７】
そして、既に述べたように、粘土と鋸くずは、湿度調節能力と保温効果が優れているので、暖房費用を削減することができる。
【００３８】
また、本発明の泥土ハウスは、通常の泥土ハウスに限らず、高層建物、アパート、公共施設など、すべての建物を含む概念であって、図７に示すように、単層の泥土ハウスではないアパート、公共施設などの高層建物に本発明を適用する場合は、前記のような木材の柱の代わりに鉄材フレーム３２を使用し、連結材の代わりに鉄網３４を鉄材フレーム３２に設置し、前記鉄網３４の間の空間に前記粘土充填材を充填する。その後、前記鉄網３４に粘土組成物２５を塗布し、前記粘土組成物２５に網のメッシュ２６を結合させ、前記メッシュ２６の表面に粘土塗料２８を塗布し、内壁をなす壁面と床には粘土塗料が完全に乾燥した後にコーティング剤３０を塗布することで、高層建物の施工も可能である。
【００３９】
図８は、本発明のまた他の一実施例による建物の鉄材フレームと鉄板を示す斜視図である。前記図７に示される鉄網の代わりに複数の通孔３８が形成された鉄板３６を使用しており、その後の施工方法は、鉄網を使用したものと同じであるので詳細な説明は省略する。
【産業上の利用可能性】
【００４０】
本発明による泥土ハウスは、壁体が堅固に構成されているので台風や地震により破壊されるおそれがなく、泥土ハウスの寿命も長くなる。また、本発明による泥土ハウスは、連結材の間に粘土充填材を充填して断熱性と吸音性が向上されて産業上の利用可能性が高い。
【図面の簡単な説明】
【００４１】
【図１】従来の泥土ハウスの要部を示す斜視図である。
【図２】従来の泥土ハウスの壁体を示す断面図である。
【図３】本発明の一実施例による壁の一部分の柱と連結材を示す斜視図である。
【図４】本発明の一実施例による壁の一部分を示す断面図である。
【図５】本発明の一実施例による泥土ハウスの壁体を示す断面図である。
【図６】本発明の一実施例による泥土ハウス側面の一部を示す断面図である。
【図７】本発明の他の一実施例による鉄材フレームと鉄網を示す斜視図である。
【図８】本発明のまた他の一実施例による鉄材フレームと鉄板を示す斜視図である。
【図１】
2008544125.tif 000003
【図２】
2008544125.tif 000004
【図３】
2008544125.tif 000005
【図４】
2008544125.tif 000006
【図５】
2008544125.tif 000007
【図６】
2008544125.tif 000008
【図７】
2008544125.tif 000009
【図８】
2008544125.tif 000010
【国際調査報告】
2008544125.tif 000011
2008544125.tif 000012